(57)【要約】【課題】  キレイな化粧鉢に植えられたラン等の気根性植物には根への通気性が悪く良い環境ではない。素焼きの植木鉢に植え替える必要があるが、根を傷めて衰弱させたり、何もせず放っておくと枯れてしまったりする。  地生植物では根は伸び続けますが根詰まりを生じて、育成不良や衰弱枯れ死を引き起こします。  そこで、植えられた植物の根に空気を供給してやる用具を必要としている。【発明の効果】  植物は根より呼吸が可能となり、育成不良や衰弱枯れ死を引き起こす事もなく、元気に成長を続ける事ができ、キレイな花を咲かせたり、果実を実らす事が出来る。【解決手段】  本発明は図１０に示す通り、通気性を確保した中空でかつ杭状の本体（１）による植物栽培用具を、図１１の様に植物の根際に差込み、通気性を確保する。【選択図】  図１０
2009207405.tif 000002
【特許請求の範囲】
【請求項１】
中空の杭状の本体（１）で、通気性素材で構成された植物栽培用具。
【請求項２】
中空の杭状の本体（１）で、メッシュ状に構成された植物栽培用具。
【請求項３】
中空の杭状の本体（１）の上部に、平坦な押し部（２）を配置した、請求項１乃至請求項２の植物栽培用具。
【請求項４】
中空の杭状の本体（１）の垂直断面が三角形である、三角錐および円錐の形状とした事を特徴とする、請求項１乃至請求項２の植物栽培用具。
【請求項５】
中空の杭状の本体（１）の先端部（３）の強度を増すように構成された、請求項１乃至請求項４の植物栽培用具。
【請求項６】
中空の杭状の本体（１）の水平断面が多角形または星型等の、円形でない事を特徴とする、請求項１乃至請求項５の植物栽培用具。
【請求項７】
中空の杭状の本体（１）の水平断面が多角形または星型等の場合に、各端部が角張らないように面取りまたは丸みを付けた形状にした事を特徴とする、請求項１乃至請求項６の植物栽培用具。
【請求項８】
中空の杭状の本体（１）を肥料となる素材で構成、または肥料を内包させた事を特徴とする、請求項１乃至請求項７の植物栽培用具。
【請求項９】
中空の杭状の本体（１）を生分解性素材で構成した事を特徴とする、請求項１乃至請求項８の植物栽培用具。
【発明の詳細な説明】
【技術分野】
【０００１】
本発明は植物の生育に必要な、空気を根に供給する用具に関する。特に植木鉢やプランタなどに植えられた場合に必要とされる。
【背景技術】
【０００２】
通気性の悪い化粧鉢に植えられたランや、根が伸びすぎて根詰まりを起こした植木鉢などの植物の根には空気を供給してやる必要がある。
【０００３】
本体を粒状物質で構成した物が出願されているが、通気性を充分に確保できないという問題点と製造上の複雑さによるコストが高くなるという欠点がある。（例えば特許文献１参照）
【０００４】
【特許文献１】特開平11-113397号公報
【発明の開示】
【発明が解決しようとする課題】
【０００５】
お祝いなどで贈られたラン等はキレイな化粧鉢に植えられているが、ラン等の気根性植物には化粧鉢では根への通気性が悪く良い環境ではない。直ぐに素焼きの植木鉢など通気性の良い物に植え替える必要があるが、素人には難しく根を傷めて衰弱させたり、判らないまま何もせず放っておくと枯れてしまったりする。
地生植物では根は伸び続けますがプラスチックの植木鉢やプランターの中で根詰まりを生じて、育成不良や衰弱して枯れ死を引き起こす。
また地面に植えられたものでも長年植えておくと根詰まりを生じて育成不良を引き起こす。
そこで、植えられた植物の根に空気を供給してやる用具を必要としている。
【課題を解決するための手段】
【０００６】
本発明は図1に示す通り、通気性を確保した中空でかつ杭状の本体（１）による植物栽培用具を、図１１の様に植物の根際に差込み、根への通気性を確保する。
【発明の効果】
【０００７】
通気性を確保した中空かつ杭状の本体（１）による植物栽培用具を、図１１の様に植物の根際に差込んで空気を供給してやり、植物の根の呼吸を補助する。
これにより植物は根より呼吸が可能となり、育成不良や衰弱枯れ死を引き起こす事もなく、元気に成長を続ける事ができ、キレイな花を咲かせたり、果実を実らす事が出来る。
【発明を実施するための最良の形態】
【０００８】
図１０に示す実施例
【実施例１】
【０００９】
本発明の第一の実施例の斜視図を図１に、垂直断面図を図２に、水平断面図を図３に示す。中空の杭状の本体（１）で、かつ通気性素材で構成された植物栽培用具を、図１１の様に植物の根際に差込み空気を供給して通気性を確保してやり、植物の根の呼吸を補助する。
【実施例２】
【００１０】
本発明の第二の実施例を図４に示す。中空のメッシュ状でかつ杭状の本体（１）で構成された植物栽培用具である。通気性の無い安価な素材でもメッシュにしてやる事により、杭状の本体（１）の通気性を確保するものである。また樹脂成型により容易に製造ができる。
但しメッシュにした事により、土が本体（１）の内部に侵入して詰まると中空の状態で無くなり通気性を確保できなくなる場合がある。これを防ぐためにはメッシュの目を０．５〜１．５ｍｍ程度にすると効果的である。例えば本体（１）を流し込みの樹脂で成型する場合、０．５ｍｍ程度以下にすると、メッシュの樹脂の部分と空間である目の部分との比率が下がって通気性も下がってしまう。また１．５ｍｍ程度以上にするとメッシュの目の部分が大きくなって土が通過し易くなり本体（１）に土が詰まってしまい、これもまた通気性も下がってしまい効果が半減してしまう。
別の面から見ると、水遣りの時に水に飛ばされた土が本体（１）の上部開口部から内部に侵入して詰まるのを防ぐ為に、上部開口部を閉鎖する事も考えられるが、前記の本体（１）の側面であるメッシュの目からの土の侵入に対して、洗浄による土の排斥を考慮するとあまり得策では無い。それよりも本体（１）を植物の根際に差込む時に、０．５〜１．０ｃｍ程度その上部を土の表面上に残して置いて、水遣りの水に飛ばされた土が本体（１）の上部開口部から内部に侵入しない様にして、詰まるのを防ぐ方が簡単であり、かつ洗浄による土の排斥もできて都合がよい。
【実施例３】
【００１１】
本発明の第三の実施例を図５に示す。押し部（２）を配置した植物栽培用具である。これにより植物の根際に差込む時に、指が痛く無くより強い力で確実に差し込む事ができる。更に上に記した本体（１）内部への土の進入についても、水遣り時の水に飛ばされた土が、押し部（２）のねずみ返し効果により抑止効果が有る。
【実施例４】
【００１２】
本発明の第四の実施例を図６に示す。中空の杭状の本体（１）の垂直断面が三角形である、三角錐および円錐の形状とした事を特徴とし、植物の根際に本体（１）を差込む時に、容易に差し込めるようにできる。
【実施例５】
【００１３】
本発明の第五の実施例を図７に示す。先端部（３）の強度を増すように構成された、植物栽培用具である。これにより植物の根際に差込む時に変形せず、形状を確保したまま確実に差し込む事ができる。
【実施例６】
【００１４】
本発明の第六の実施例を図８に示す。杭状の本体（１）の水平断面が多角形または星型等の、円形でない事を特徴とする植物栽培用具である。水平断面が円形で有る場合は、その体積に対してその表面積が最小になっている。しかしながら本発明では、その体積に対してその表面積が最大になっている方が、通気性を最大に発揮できて、その効果が大きくなる。従って杭状の本体（１）の水平断面が円形では無く、多角形または星型等である事により、杭状の本体（１）の体積に対してその表面積を大きくしてやり、通気性を確保するものである。
特に水平断面が三角である場合は、その表面積を大きくできる上に、構造的に強度を上げられ、かつ製造もたやすく最良の実施形態である。また星型ではその表面積を更に大きくでき効果が大きい上に、見た目の楽しさもあり、販売上で購買意欲を掻き立て効果的である。
【実施例７】
【００１５】
本発明の第七の実施例を図９に示す。杭状の本体（１）の水平断面が多角形または星型等の場合、本体（１）を植物の根際に差込む時に植物の根を傷めない様、各端部が角張らないように面取りまたは丸みを付けた形状にした事を特徴とする植物栽培用具である。
【実施例８】
【００１６】
本発明の第八の実施例として、杭状の本体（１）を肥料となる素材で構成、または肥料を内包させた事を特徴とする植物栽培用具である。施肥をする時に多くの場合は土の表面に散布するだけであるが、本発明の場合は杭状の本体（１）を植物の根際に差込んで使用する為、本体（１）は土の表面では無く、より深い所でかつ根の近くに配置できて、肥料を効果的に施肥する事ができる。
【実施例９】
【００１７】
本発明の第九の実施例として杭状の本体（１）を、生分解性素材で構成した事を特徴とする植物栽培用具である。地球の環境に優しいのはこれからの製品として当然の方向である。また生分解性素材の場合、多くは分解後に上記に述べた肥料となる事もあり、効果的な植物栽培用具となりえる。
【図面の簡単な説明】
【００１８】
【図１】第１実施例の斜視図
【図２】第１実施例の垂直断面図
【図３】第１実施例の水平断面図
【図４】第２実施例の斜視図
【図５】第３実施例の斜視図
【図６】第４実施例の垂直断面図
【図７】第５実施例の垂直断面図
【図８】第６実施例の水平断面図
【図９】第７実施例の水平断面図
【図１０】最良の形態の斜視図
【図１１】実施時の状態を示す斜視図
【符号の説明】
【００１９】
１・・・・・・・・・・・本体
２・・・・・・・・・・・押し部
３・・・・・・・・・・・先端部
４・・・・・・・・・・・植木鉢
５・・・・・・・・・・・植物
【図１】
2009207405.tif 000003
【図２】
2009207405.tif 000004
【図３】
2009207405.tif 000005
【図４】
2009207405.tif 000006
【図５】
2009207405.tif 000007
【図６】
2009207405.tif 000008
【図７】
2009207405.tif 000009
【図８】
2009207405.tif 000010
【図９】
2009207405.tif 000011
【図１０】
2009207405.tif 000012
【図１１】
2009207405.tif 000013